(57)【要約】【課題】圧電トランスを駆動させるパルス生成回路を設けることなく高圧発生回路の駆動可能とし、部品点数を削減すると共に、コストを抑える。【解決手段】高圧電源装置は、入力されたパルス幅変調信号を出力電圧指示信号に変換する平滑手段と、前記平滑手段と並列に接続され、入力された前記パルス幅変調信号を分周する分周手段と、分周された前記パルス幅変調信号に応じて圧電トランス入力周波数信号を生成する圧電トランス駆動手段と、前記圧電トランス入力周波数信号の電圧および周波数に応じて昇圧した圧電トランス出力電圧を生成する圧電トランスと、前記圧電トランス出力電圧を整流し、高圧電源出力電圧に変換する整流手段と、前記高圧電源出力電圧を分圧し、帰還信号に変換する電圧変換手段と、前記帰還信号の電圧を前記出力電圧指示信号の電圧と比較した結果に基づいて、前記高圧電源出力電圧を帰還制御する比較手段とを有し、前記平滑手段および前記分周手段には、同一の前記パルス幅変調信号が入力される。【選択図】        図１
2015070657.tif 000002
【特許請求の範囲】
【請求項１】
入力されたパルス幅変調信号を出力電圧指示信号に変換する平滑手段と、
前記平滑手段と並列に接続され、入力された前記パルス幅変調信号を分周する分周手段と、
分周された前記パルス幅変調信号に応じて圧電トランス入力周波数信号を生成する圧電トランス駆動手段と、
前記圧電トランス入力周波数信号の電圧および周波数に応じて昇圧した圧電トランス出力電圧を生成する圧電トランスと、
前記圧電トランス出力電圧を整流し、高圧電源出力電圧に変換する整流手段と、
前記高圧電源出力電圧を分圧し、帰還信号に変換する電圧変換手段と、
前記帰還信号の電圧を前記出力電圧指示信号の電圧と比較した結果に基づいて、前記高圧電源出力電圧を帰還制御する比較手段とを有し、
前記平滑手段および前記分周手段は、同一の前記パルス幅変調信号が入力されることを特徴とする高圧電源装置。
【請求項２】
請求項１に記載の高圧電源装置において、
前記圧電トランス駆動手段は、供給電圧を印加され、前記供給電圧に応じた電圧の前記圧電トランス入力周波数信号を生成し、
前記圧電トランスは、前記圧電トランス入力周波数信号の電圧に応じて昇圧した前記圧電トランス出力電圧を生成し、
前記比較手段は、前記帰還信号の電圧を前記出力電圧指示信号の電圧と比較した結果に基づいて前記供給電圧を変圧させ、前記高圧電源出力電圧を帰還制御することを特徴とする高圧電源装置。
【請求項３】
請求項１に記載の高圧電源装置において、
前記圧電トランスは、前記圧電トランス入力周波数信号の周波数に応じて昇圧した圧電トランス出力電圧を生成し、
前記比較手段は、前記帰還信号の電圧を前記出力電圧指示信号の電圧と比較した結果に基づいて前記パルス幅変調信号の周波数を可変させ、前記高圧電源出力電圧を帰還制御することを特徴とする高圧電源装置。
【請求項４】
請求項１から請求項３のいずれか１項に記載の高圧電源装置において、
前記高圧電源装置を備えることを特徴とする画像形成装置。
【発明の詳細な説明】
【技術分野】
【０００１】
本発明は、圧電トランスを用いた高圧電源装置、および、その高圧電源装置を備えた画像形成装置に関する。
【背景技術】
【０００２】
従来の画像形成装置は、高圧電源装置内の複数の高圧発生回路に圧電トランスを駆動させるパルス生成回路をそれぞれ設けるようにしている（例えば、特許文献１参照）。
【先行技術文献】
【特許文献】
【０００３】
【特許文献１】特開２０１３−１２１２７６号公報
【発明の概要】
【発明が解決しようとする課題】
【０００４】
しかしながら、従来の技術においては、高圧電源装置内の複数の高圧発生回路に圧電トランスを駆動させるパルス生成回路をそれぞれ設けるようにすると、部品点数が増えると共に、コストがかかるという問題がある。
本発明は、このような問題を解決することを課題とし、圧電トランスを駆動させるパルス生成回路を設けることなく高圧発生回路を駆動可能とし、部品点数を削減すると共に、コストを抑えることを目的とする。
【課題を解決するための手段】
【０００５】
そのため、本発明は、入力されたパルス幅変調信号を出力電圧指示信号に変換する平滑手段と、前記平滑手段と並列に接続され、入力された前記パルス幅変調信号を分周する分周手段と、分周された前記パルス幅変調信号に応じて圧電トランス入力周波数信号を生成する圧電トランス駆動手段と、前記圧電トランス入力周波数信号の電圧および周波数に応じて昇圧した圧電トランス出力電圧を生成する圧電トランスと、前記圧電トランス出力電圧を整流し、高圧電源出力電圧に変換する整流手段と、前記高圧電源出力電圧を分圧し、帰還信号に変換する電圧変換手段と、前記帰還信号の電圧を前記出力電圧指示信号の電圧と比較した結果に基づいて、前記高圧電源出力電圧を帰還制御する比較手段とを有し、前記平滑手段および前記分周手段は、同一の前記パルス幅変調信号が入力されることを特徴とする。
【発明の効果】
【０００６】
このようにした本発明は、圧電トランスを駆動させるパルス生成回路を設けることなく高圧発生回路を駆動可能とし、部品点数を削減すると共に、コストを抑えることができるという効果が得られる。
【図面の簡単な説明】
【０００７】
【図１】第１の実施例における転写バイアス電圧発生部の構成を示すブロック図
【図２】第１の実施例における画像形成装置の構成を示す概略側断面図
【図３】第１の実施例における画像形成装置の構成を示すブロック図
【図４】第１の実施例における転写バイアス電圧発生部の構成を示す回路図
【図５】第１の実施例におけるプリンタエンジン制御部のＰＷＭ信号生成回路の構成を示すブロック図
【図６】第１の実施例における圧電トランスの出力特性を示す説明図
【図７】第１の実施例におけるＰＷＭ信号、２分周器および平滑回路の出力波形を示す説明図
【図８】第２の実施例における画像形成装置の構成を示すブロック図
【図９】第２の実施例における転写バイアス電圧発生部の構成を示すブロック図
【図１０】第２の実施例における転写バイアス電圧発生部の構成を示す回路図
【図１１】第２の実施例における転写バイアス電圧発生部の構成を示す回路図
【図１２】第２の実施例におけるプリンタエンジン制御部、２分周器および４分周器の出力波形を示す説明図
【図１３】第２の実施例における圧電トランスの出力特性を示す説明図
【発明を実施するための形態】
【０００８】
以下、図面を参照して本発明による高圧電源装置および画像形成装置の実施例を説明する。
【実施例１】
【０００９】
図２は、第１の実施例における画像形成装置の構成を示す概略側断面図である。
図２において、画像形成装置１０１は、通信回線等で接続された図示しないホストコンピュータ等の上位装置が送信した印刷データから画像データを生成し、その画像データに基づいて現像した各色のトナー像を媒体（用紙１１５）に転写してカラー印刷を行うカラープリンタである。この画像形成装置１０１は、後述する高圧電源装置としての高圧電源基板２８０を備えている。
【００１０】
なお、図中のＫはブラック色、Ｙはイエロー色、Ｍはマゼンタ色、Ｃはシアン色を表し、画像形成装置１０１は、この４色のトナーを用いてカラー印刷を行う。以下、特別に記載しない場合、それぞれの色のトナーを用いてトナー像を現像し、現像したトナー像を転写する構成は４色とも同様の構成であるので、１色分の説明とし、Ｋ、Ｙ、Ｍ、Ｃの符号を省略する。
【００１１】
画像形成装置１０１は、用紙１１５を積載して収容する用紙カセット１１３と、用紙カセット１１３から用紙１１５を１枚ずつ繰り出して搬送するホッピングローラ１１４と、回転が停止した状態で搬送された用紙１１５が突き当てられ、スキューを補正した後に、所定のタイミングで駆動され、用紙１１５を転写ベルト１０８に搬送するレジストローラ１１６および１１７と、レジストローラ１１６および１１７から搬送された用紙１１５の有無を接触または非接触で検知する用紙検出センサ１４０と、画像データに基づいて形成した静電潜像をトナー像に現像する現像ユニット１２１と、現像ユニット１２１が現像したトナー像を用紙１１５に転写する転写ユニット１２２と、転写されたトナー像を熱と圧力によって用紙１１５に定着させる定着器１１８と、トナー像が定着した用紙１１５を案内する用紙ガイド１１９と、用紙ガイド１１９に案内された用紙１１５をフェイスダウンで（印刷面が図中下方に向くように）積載する排紙トレー１２０と、後述するプリンタエンジン制御部２５３を備える基板２６０と、高圧電源出力電圧を発生する高圧電源基板２８０とにより構成されている。
【００１２】
現像ユニット１２１は、画像データに基づいて形成した静電潜像をトナー像に現像するものであり、後述する感光体ドラム１３２の表面を露光して静電潜像を形成するＬＥＤ（Ｌｉｇｈｔ  Ｅｍｉｔｔｉｎｇ  Ｄｉｏｄｅ）ヘッド１０３と、ＬＥＤヘッド１０３が形成した静電潜像をトナー像に現像する現像器１０２と、現像器１０２に着脱可能に取り付けられ、現像器１０２にトナーを供給するトナーカートリッジ１０４とにより構成されている。
現像器１０２は、帯電ローラ１３６と、感光体ドラム１３２と、供給ローラ１３３と、現像ローラ１３４と、現像ブレード１３５と、クリーニングブレード１３７とにより構成されている。
【００１３】
帯電ローラ１３６は、後述する帯電バイアス電圧発生部２６１により帯電バイアス電圧を印加されて所定の電位が与えられ、感光体ドラム１３２に当接して感光体ドラム１３２の表面を均一に帯電させる。
感光体ドラム１３２は、帯電ローラ１３６により表面を一様に帯電される。帯電された感光体ドラム１３２の表面には、ＬＥＤヘッド１０３により画像データに基づいて露光され、静電潜像が形成される。
供給ローラ１３３は、現像ローラ１３４の表面にトナーを供給する。
【００１４】
現像ブレード１３５は、現像ローラ１３４の表面に供給されたトナーに当接して一様な厚さとし、静電潜像を現像するトナーの層を形成する。
現像ローラ１３４は、後述する現像バイアス電圧発生部２６２により現像バイアス電圧を印加されて所定の電位が与えられ、感光体ドラム１３２の表面の静電潜像との間に発生する電位差により静電潜像をトナー像に現像する。
クリーニングブレード１３７は、用紙１１５にトナー像を転写した後の感光体ドラム１３２の表面に残ったトナーを掻き落とす。
【００１５】
転写ユニット１２２は、現像ユニット１２１が現像したトナー像を用紙１１５に転写するものであり、用紙１１５を搬送する無端状の転写ベルト１０８と、転写ベルト１０８を張架して回転させる転写ベルト駆動ローラ１０６および転写ベルト従動ローラ１０７と、転写ベルト１０８を挟んで感光体ドラム１３２と対向する転写ローラ１０５と、転写ベルト１０８の表面に付着したトナーを掻き落とす転写ベルトクリーニングブレード１１１と、転写ベルトクリーニングブレード１１１が掻き落としたトナーを収容する転写ベルトクリーナー容器１１２とにより構成されている。
【００１６】
転写ローラ１０５は、後述する転写バイアス電圧発生部２６３により転写バイアス電圧を印加されて所定の電位が与えられ、転写ベルト１０８を挟んで対向する感光体ドラム１３２との間に発生する電位差により、感光体ドラム１３２の表面に現像されたトナー像を用紙１１５に転写する。なお、転写バイアス電圧発生部２６３が所定の電位を与えるための転写バイアス電圧を目標電圧という。
【００１７】
図３は、第１の実施例における画像形成装置の構成を示すブロック図である。
図３に示すように、画像形成装置１０１は、図２で示したＬＥＤヘッド１０３、現像器１０２、転写ローラ１０５、および用紙検出センサ１４０、プリンタエンジン制御部２５３、高圧電源基板２８０に加えて、ホストインタフェース部２５０と、コマンド／画像処理部２５１と、ＬＥＤヘッドインタフェース部２５２と、ホッピングモータ２５４と、レジストモータ２５５と、ベルトモータ２５６と、定着器ヒータモータ２５７と、ドラムモータ２５８と、サーミスタ２６５と、定着器ヒータ２５９とにより構成されている。
【００１８】
ホストインタフェース部２５０は、通信回線等で接続された図示しないホストコンピュータ等の上位装置から受信した印刷データをコマンド／画像処理部２５１へ出力する。
コマンド／画像処理部２５１は、プリンタエンジン制御部２５３により制御され、ホストインタフェース部２５０から受信したデータに基づいて画像データを生成し、その画像データをＬＥＤヘッドインタフェース部２５２へ出力する。
ＬＥＤヘッドインタフェース部２５２は、プリンタエンジン制御部２５３によりヘッド駆動パルス等を制御され、コマンド／画像処理部２５１から出力された画像データに基づいてＬＥＤヘッド１０３を発光させる。
【００１９】
プリンタエンジン制御部２５３は、高圧電源基板２８０にケーブルなどを介してＰＷＭ（Ｐｕｌｓｅ  Ｗｉｄｔｈ  Ｍｏｄｕｌａｔｉｏｎ：パルス幅変調）信号を出力して高圧電源出力電圧を発生させる。
また、プリンタエンジン制御部２５３は、図２で示したホッピングローラ１１４を回転駆動させるホッピングモータ２５４と、レジストローラ１１６および１１７を回転駆動させるレジストモータ２５５と、転写ベルト駆動ローラ１０６を回転駆動させるベルトモータ２５６と、定着器１１８が有するローラを回転駆動させる定着器ヒータモータ２５７と、感光体ドラム１３２を回転駆動させるドラムモータ２５８と接続しており、所定のタイミングで駆動させる。
【００２０】
高圧電源基板２８０は、プリンタエンジン制御部２５３によりＰＷＭ信号を入力され、高圧電源出力電圧を発生するものであり、帯電ローラ１３６に帯電バイアス電圧を印加する帯電バイアス電圧発生部２６１と、現像ローラ１３４に現像バイアス電圧を印加する現像バイアス電圧発生部２６２と、転写ローラ１０５に転写バイアス電圧を印加する転写バイアス電圧発生部２６３とにより構成されている。
なお、帯電バイアス電圧発生部２６１、現像バイアス電圧発生部２６２、および転写バイアス電圧発生部２６３は、高圧電源基板２８０に構成するものとしたが、それに限られることなく、画像形成装置１０１の構成に応じて独立して分離させる構成としてとしてもよい。
【００２１】
用紙検出センサ１４０は、プリンタエンジン制御部２５３により制御され、転写バイアス電圧を発生させるタイミングを調整するために用いられる。
定着器ヒータ２５９は、プリンタエンジン制御部２５３によりサーミスタ２６５の検出値に応じて温度制御される。
なお、このように構成された画像形成装置１０１は、後述する不揮発性メモリ３０４に記憶された制御プログラム（ソフトウェア）に基づいてプリンタエンジン制御部２５３により画像形成装置１０１全体の制御を行う。
【００２２】
次に、高圧電源基板２８０に構成されている帯電バイアス電圧発生部２６１、現像バイアス電圧発生部２６２、および転写バイアス電圧発生部２６３について説明する。なお、帯電バイアス電圧発生部２６１、現像バイアス電圧発生部２６２、および転写バイアス電圧発生部２６３はそれぞれ同様の構成であるため、例として転写バイアス電圧発生部２６３の構成について説明する。
図１は、第１の実施例における転写バイアス電圧発生部の構成を示すブロック図である。
【００２３】
図１に示したように、転写バイアス電圧発生部２６３は、不揮発性メモリ３０４と、高圧発生回路３１６とにより構成されている。この転写バイアス電圧発生部２６３を構成する部材は、プリンタエンジン制御部２５３と、５［Ｖ］の直流（ＤＣ：Ｄｉｒｅｃｔ  Ｃｕｒｒｅｎｔ）電源である５ＶＤＣ電源３１７と、２４［Ｖ］のＤＣ電源である２４ＶＤＣ電源３０８と、出力負荷３１５と、それぞれ電気的に接続されている。
なお、出力負荷３１５は、図３に示した転写ローラ１０５に相当する。
【００２４】
また、転写バイアス電圧発生部２６３は、図３で示した高圧電源基板２８０に構成されている。一方、プリンタエンジン制御部２５３は、高圧電源基板２８０とは別の基板２６０に設けられているため、ケーブルなどを介して接続されている。
ここで、このプリンタエンジン制御部２５３は、不揮発性メモリ３０４と接続されているシリアル通信端子３０２と、ＰＷＭ信号を生成して出力するＰＷＭ信号生成回路５１０とにより構成されている。このＰＷＭ信号生成回路５１０は、生成するＰＷＭ信号のデューティおよび周波数（周期）を変動させることができるものである。
転写バイアス電圧発生部２６３の説明に戻る。
【００２５】
不揮発性メモリ３０４は、後述する基準周波数補正値をあらかじめ記憶している。この不揮発性メモリ３０４は、プリンタエンジン制御部２５３のシリアル通信端子３０２と２線式のケーブルであるシリアル信号線を介して接続されている。また、不揮発性メモリ３０４には、５ＶＤＣ電源３１７から５［Ｖ］のＤＣ電圧が供給されている。
高圧発生回路３１６は、２分周器３２０と、平滑回路３２１と、ＤＣ‐ＤＣコンバータ３０９と、圧電トランス駆動回路３１０と、圧電トランス３１１と、整流回路３１２と、出力電圧変換手段３１３と、帰還制御回路３１４とにより構成されている。
【００２６】
また、２分周器３２０および平滑回路３２１には、ＰＷＭ信号生成回路５１０から出力された同一のＰＷＭ信号がどちらにも入力される。
平滑手段としての平滑回路３２１は、入力されたＰＷＭ信号を平滑化することにより、ＰＷＭ信号のデューティに応じた０〜５［Ｖ］の出力電圧指示信号に変換し、帰還制御回路３１４に出力する。
分周手段としての２分周器３２０は、入力されたＰＷＭ信号を２分周して５０％デューティのパルス信号に変換し、圧電トランス駆動回路３１０へ出力する。
【００２７】
ＤＣ‐ＤＣコンバータ３０９は、２４ＶＤＣ電源３０８から２４［Ｖ］のＤＣ電圧が供給されており、帰還制御回路３１４から出力された帰還信号の電圧に応じて０〜２２［Ｖ］の供給電圧に変圧し、圧電トランス駆動回路３１０に出力する。
圧電トランス駆動手段としての圧電トランス駆動回路３１０は、２分周器３２０から出力されたパルス信号、つまり分周されたＰＷＭ信号の周波数に応じてスイッチングし、ＤＣ‐ＤＣコンバータ３０９から印加された供給電圧に基づいて圧電トランス入力周波数信号を生成する。
【００２８】
圧電トランス３１１は、圧電トランス駆動回路３１０から入力される圧電トランス入力周波数信号の電圧および周波数に応じて昇圧した圧電トランス出力電圧を生成し、整流回路３１２に出力する。
整流手段としての整流回路３１２は、ダイオード等により構成され、圧電トランス出力電圧を整流して高圧電源出力電圧に変換し、その高圧電源出力電圧を出力負荷３１５および出力電圧変換手段３１３に出力する。
電圧変換手段としての出力電圧変換手段３１３は、圧電トランス３１１の２次側から出力される高圧電源出力電圧を０〜５［Ｖ］の帰還信号に変換し、帰還制御回路３１４に出力する。
【００２９】
比較手段としての帰還制御回路３１４は、後述するオペアンプ４０８などによる積分回路であり、帰還信号の電圧を出力電圧指示信号の電圧と比較して比較信号を生成し、その比較信号をＤＣ−ＤＣコンバータ３０９に出力することにより、圧電トランス出力電圧を変動させるものである。
つまり、帰還制御回路３１４は、帰還信号の電圧を前記出力電圧指示信号の電圧と比較した結果に基づいて、高圧電源出力電圧を帰還制御する。
【００３０】
図４は、第１の実施例における転写バイアス電圧発生部の構成を示す回路図であり、図１で示した転写バイアス電圧発生部２６３の回路図を示している。
図４に示すように、転写バイアス電圧発生部２６３は、図１に示す不揮発性メモリ３０４と、高圧発生回路３１６とにより構成されている。
不揮発性メモリ３０４は、Ｅ２ＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）により構成されている。
【００３１】
高圧発生回路３１６は、２分周器３２０と、平滑回路３２１と、ＤＣ‐ＤＣコンバータ３０９と、圧電トランス駆動回路３１０と、圧電トランス３１１と、整流回路３１２と、出力電圧変換手段３１３と、帰還制御回路３１４とにより構成されている。
２分周器３２０は、フリップフロップにより構成されている。
平滑回路３２１は、抵抗４３５およびコンデンサ４３６を用いたＲＣフィルタにより構成されている。
【００３２】
ＤＣ‐ＤＣコンバータ３０９は、抵抗４１１、４１２と、ＮＰＮトランジスタ４１３と、電解コンデンサ４１４とにより構成されている。
圧電トランス駆動回路３１０は、抵抗４１５、４１６、４１８、４１９、４２０、４２１と、ＮＰＮトランジスタ４１７、４２２と、ＮチャネルＦＥＴ（Ｆｉｅｌｄ  Ｅｆｆｅｃｔ  Ｔｒａｎｓｉｓｔｏｒ）４２３と、オートトランス４２４と、コンデンサ４２５とにより構成されている。
【００３３】
圧電トランス３１１は、セラミック等の圧電振動子などにより構成されている。なお、この圧電トランス３１１の圧電トランス出力電圧に対する入力周波数の依存性（出力特性）については後述する。
整流回路３１２は、ダイオード４２６、４２７と、コンデンサ４２８とにより構成されている。この整流回路３１２の出力である高圧電源出力電圧は、直列接続された抵抗４２９を介して出力負荷３１５に印加されるとともに、出力負荷３１５と並列に接続された出力電圧変換手段３１３にも印加される。
【００３４】
なお、出力負荷３１５に印加された電圧が転写バイアス電圧である。
出力電圧変換手段３１３は、抵抗４３０、４３１、４３２、４３３と、コンデンサ４３４とにより構成されている。この出力電圧変換手段３１３は、入力された高圧電源出力電圧を抵抗４３０および４３１により分圧し、分圧した高圧電源出力電圧を抵抗４３３およびコンデンサ４３４により平滑化して、帰還制御回路３１４に出力する。
【００３５】
帰還制御回路３１４は、オペアンプ４０８と、コンデンサ４０９と、抵抗４１０とを用いた積分回路で構成されている。オペアンプ４０８は、非反転入力端子に平滑回路３２１が変換した出力電圧指示信号、反転入力端子に出力電圧変換手段３１３が変換した帰還信号がそれぞれ入力され、帰還信号の電圧を出力電圧指示信号の電圧と比較する。帰還制御回路３１４は、比較した結果であるその差の電圧をＤＣ−ＤＣコンバータ３０９の抵抗４１２を介してＮＰＮトランジスタ４１３のベースに出力する。
【００３６】
図５は、第１の実施例におけるプリンタエンジン制御部のＰＷＭ信号生成回路の構成を示すブロック図であり、図５（ａ）はＯＳＣ（Ｏｓｃｉｌｌａｔｏｒ：発振器）５０２を用いたＰＷＭ信号生成回路５０１、図５（ｂ）はＶＣＯ（Ｖｏｌｔａｇｅ  Ｃｏｎｔｒｏｌｌｅｄ  Ｏｓｃｉｌｌａｔｏｒ：電圧制御発振器）５１２を用いたＰＷＭ信号生成回路５１０を示している。どちらもＬＳＩ（Ｌａｒｇｅ  Ｓｃａｌｅ  Ｉｎｔｅｇｒａｔｉｏｎ）で構成されている。
【００３７】
また、本実施例におけるプリンタエンジン制御部２５３は、図５（ｂ）に示すＰＷＭ信号生成回路５１０を設けている。なお、図５（ａ）におけるＰＷＭ信号生成回路５０１は例として示すものである。
図５（ａ）に示すように、ＰＷＭ信号生成回路５０１は、ＯＳＣ５０２により矩形波を生成し、生成した矩形波をＰＷＭ信号発生器５０３に入力してＰＷＭ信号を生成して出力する。
【００３８】
図５（ｂ）に示すように、ＰＷＭ信号生成回路５１０は、ＶＣＯにより三角波を生成し、生成した三角波をコンパレータ５１３でＤＡＣ（Ｄｉｇｉｔａｌ  ｔｏ  Ａｎａｌｏｇ  Ｃｏｎｖｅｒｔｅｒ）５１１から出力される所定電圧と比較してＰＷＭ信号を生成して出力する。
なお、ＰＷＭ信号生成回路の構成の例として図５（ａ）および図５（ｂ）のように示したが、それに限られることなく、その他の公知のＰＷＭ信号生成回路の構成として生成してもよい。
【００３９】
次に、ＰＷＭ信号生成回路５１０が生成するＰＷＭ信号の周波数の設定について、図６に基づいて図１を参照しながら説明する。
図６は、第１の実施例における圧電トランスの出力特性を示す説明図であり、縦軸を圧電トランス出力電圧、横軸を圧電トランス入力周波数信号の周波数として、ＤＣ‐ＤＣコンバータ３０９の出力電圧が最大のときの圧電トランス３１１の出力特性を示している。
この出力特性のピークは、圧電トランス３１１の共振周波数である。
圧電トランス３１１を安定して駆動させるには、温度や負荷などによる変動を考慮して共振周波数より高めの駆動周波数を圧電トランス入力周波数信号の周波数として設定するようにする。
【００４０】
図６に示すように、転写バイアス電圧発生部２６３のそれぞれの高圧発生回路３１６に搭載されている４つの圧電トランス３１１の出力特性は、基準周波数に対する圧電トランス出力電圧のバラツキを有している。なお、図６では出力電圧のバラツキを誇張して示しており、実際の基準周波数に対する圧電トランス出力電圧のバラツキは±４％程度以内である。
ここで、基準周波数とは、圧電トランス３１１の出力特性のバラツキの程度などを考慮して便宜的に定めた任意の周波数である。
【００４１】
不揮発性メモリ３０４は、圧電トランス３１１の駆動周波数で動作させるために、基準周波数と駆動周波数の差を基準周波数補正値Ｄ１〜Ｄ４としてあらかじめ記憶している。
ＰＷＭ信号生成回路５１０は、ＰＷＭ信号を生成する際に、不揮発性メモリ３０４から基準周波数補正値Ｄ１〜Ｄ４を読み出し、その基準周波数補正値Ｄ１〜Ｄ４に基づいて補正した基準周波数の２倍をＰＷＭ信号の周波数として設定する。
ここで、補正した基準周波数の２倍としたのは、２分周器３２０により２分周されるためである。
【００４２】
次に、ＰＷＭ信号生成回路５１０が生成するＰＷＭ信号のデューティの設定について、図７に基づいて図１を参照しながら説明する。
図７は、第１の実施例におけるＰＷＭ信号、２分周器および平滑回路の出力波形を示す説明図であり、図７（ａ）はプリンタエンジン制御部２５３が出力するＰＷＭ信号が２５％デューティの場合、図７（ｂ）はＰＷＭ信号が７５％デューティの場合を示している。
【００４３】
図７（ａ）において、ＰＷＭ信号生成回路５１０が２５％デューティのＰＷＭ信号を２分周器３２０および平滑回路３２１に入力した場合、２分周器３２０は入力されたＰＷＭ信号を分周し、５０％デューティのパルス信号に変換するとともに、平滑回路３２１は所定の時定数により決定される時間を経て、入力されたＰＷＭ信号を平滑化し、２５％デューティに応じた電圧であるＶｆ１［Ｖ］のＤＣである出力電圧指示信号に変換する。
【００４４】
図７（ｂ）において、ＰＷＭ信号生成回路５１０が７５％デューティのＰＷＭ信号を出力した場合、２分周器３２０は図７（ａ）の場合と同様に入力されたＰＷＭ信号を分周し、５０％デューティのパルス信号に変換するとともに、平滑回路３２１は所定の時定数により決定される時間を経て、入力されたＰＷＭ信号を平滑化し、７５％デューティに応じた電圧であるＶｆ２［Ｖ］（Ｖｆ１＜Ｖｆ２）のＤＣである出力電圧指示信号に変換する。
よって、ＰＷＭ信号生成回路５１０がＰＷＭ信号のデューティを変動させ、帰還制御回路３１４に入力する出力電圧指示信号の電圧が変動することにより、帰還制御回路３１４が出力する比較信号が変動し、帰還制御されるＤＣ‐ＤＣコンバータ３０９の出力電圧が変圧されるため、ＰＷＭ信号のデューティに応じた高圧電源出力電圧の定電圧制御を行うことができる。
【００４５】
このように、ＰＷＭ信号生成回路５１０から出力されたＰＷＭ信号のデューティを変動させることにより出力電圧指示信号の電圧を制御するとともに、そのＰＷＭ信号の周波数を用いて圧電トランス駆動回路３１０を駆動させるようにしたことにより、１つのＰＷＭ信号で高圧発生回路３１６を駆動させるため、圧電トランスを駆動させるパルス生成回路を設けることなく高圧発生回路３１６を駆動可能とし、部品点数を削減すると共に、コストを抑えることができる。
【００４６】
上述した構成の作用について説明する。
まず、印刷データの受信から用紙１１５を転写ベルト１０８に搬送するまでの動作を、図３に基づいて説明する。
ホストインタフェース部２５０は、通信回線等で接続された図示しないホストコンピュータ等の上位装置から受信した印刷データをコマンド／画像処理部２５１へ出力する。
コマンド／画像処理部２５１は、ホストインタフェース部２５０から受信した印刷データに基づいて画像データを生成する。
【００４７】
プリンタエンジン制御部２５３は、定着器１１８のローラに近接あるいは接触させたサーミスタ２６５の検知値に応じて定着器ヒータ２５９を制御し、定着器ヒータ２５９を所定の温度にした後に印刷動作を開始し、ホッピングモータ２５４およびレジストモータ２５５に回転駆動するように指示する。
指示を受けたホッピングモータ２５４は、ホッピングローラ１１４により用紙カセット１１３に収容された用紙１１５を繰り出させ、レジストローラ１１６および１１７へ搬送する。また、指示を受けたレジストモータ２５５は、感光体ドラム１３２の回転駆動等と同期するタイミングで駆動し、レジストローラ１１６および１１７によりホッピングローラ１１４が搬送した用紙１１５をさらに転写ベルト１０８に搬送する。
【００４８】
次に、印刷データの受信から用紙１１５を転写ベルト１０８に搬送するまでの動作を、図１に基づいて説明する。
プリンタエンジン制御部２５３は、あらかじめ記憶させた圧電トランス入力周波数の補正値を不揮発性メモリ３０４から読み出す。
プリンタエンジン制御部２５３は、基準周波数補正値Ｄ１〜Ｄ４に基づいて補正した基準周波数の２倍をＰＷＭ信号の周波数として設定し、さらに目標電圧に応じたＰＷＭ信号のデューティを設定する。
そのあと所定のタイミングで、プリンタエンジン制御部２５３はＰＷＭ信号生成回路５１０からＰＷＭ信号を出力する。
プリンタエンジン制御部２５３は、ＰＷＭ信号をＰＷＭ信号生成回路５１０から２分周器３２０および平滑回路３２１に出力する。
【００４９】
次に、高圧電源出力電圧の定電圧制御の動作を、図４に基づいて説明する。
平滑回路３２１は、ＰＷＭ信号生成回路５１０から出力されたＰＷＭ信号を抵抗４３５およびコンデンサ４３６により構成されているＲＣフィルタで平滑化することにより、０〜５［Ｖ］のＤＣである出力電圧指示信号に変換し、帰還制御回路３１４に構成されているオペアンプ４０８の非反転入力端子に出力する。
【００５０】
同時に、２分周器３２０は、ＰＷＭ信号生成回路５１０から出力されたＰＷＭ信号を、フリップフロップにより２分周して５０％デューティのパルス信号に変換し、圧電トランス駆動回路３１０のＮＰＮトランジスタ４１７に出力する。
２分周された５０％デューティのパルス信号は、抵抗４１５を介してＮＰＮトランジスタ４１７に入力されて反転増幅し、さらに抵抗４１９を介してＮＰＮトランジスタ４２２に入力されて反転増幅されることにより、ＮチャネルＦＥＴ４２３のゲート駆動電圧に生成される。
【００５１】
ゲート駆動電圧に応じたＮチャネルＦＥＴ４２３がスイッチングすることにより、オートトランス４２４、コンデンサ４２５および圧電トランス３１１で構成されている回路は、半波正弦波の圧電トランス入力周波数信号を生成し、圧電トランス３１１の１次側に入力する。
すると、圧電トランス３１１は、２次側に昇圧した圧電トランス出力電圧を発生させ、整流回路３１２に出力する。
【００５２】
整流回路３１２は、圧電トランス出力電圧をダイオード４２６および４２７とコンデンサ４２８により整流し、ＤＣの高圧電源出力電圧となり、直列接続されている抵抗４２９を介して出力負荷３１５に印加される。
また、高圧電源出力電圧は、出力電圧変換手段３１３にも印加される。
出力電圧変換手段３１３は、高圧電源出力電圧を抵抗４３０および４３１により分圧し、さらに抵抗４３３とコンデンサ４３４により平滑化して帰還信号に変換し、帰還制御回路３１４に構成されているオペアンプ４０８の反転入力端子に入力する。
【００５３】
帰還制御回路３１４は、オペアンプ４０８の反転入力端子に入力された帰還信号の電圧と、非反転入力端子に入力された出力電圧指示信号の電圧を比較し、その差の電圧である比較信号を、抵抗４１２を介してトランジスタ４１３に入力する。
すると、比較信号に基づいてトランジスタ４１３のベース電流が変動することでエミッタ電圧が変動し、ＤＣ−ＤＣコンバータ３０９の出力電圧は変圧される。
よって、ＰＷＭ信号のデューティを変動させることにより、出力電圧指示信号が追従し、出力負荷３１５に印加される高圧電源出力電圧が帰還制御されるため、高圧電源出力電圧の定電圧制御をすることができる。
【００５４】
なお、出力電圧変換手段３１３の各部品の定数は、出力電圧指示信号は０〜５［Ｖ］の範囲であることから、帰還信号が０〜５［Ｖ］の範囲となるように決定される。
また、本実施例では、オペアンプ４０８の出力を正バイアス出力として説明したが、それに限ることなく、圧電トランスの２次側の整流回路３１２に構成されたダイオード４２６および４２７の極性を反転させることにより負バイアスに対応することも可能である。その場合は、オペアンプ４０８の非反転入力端子と反転入力端子を入れ替える、あるいは、ＮＰＮトランジスタ４１３をＰＮＰトランジスタに替えることが必要である。
【００５５】
次に、高圧電源基板２８０の帯電バイアス電圧発生部２６１、現像バイアス電圧発生部２６２、転写バイアス電圧発生部２６３においてそれぞれ発生させた高圧電源出力電圧を、帯電バイアス電圧、現像バイアス電圧および転写バイアス電圧として帯電ローラ１３６、現像ローラ１３４および転写ローラ１０５に印加し、感光体ドラムを帯電するところから用紙１１５にトナー像を定着させるまでの動作について図３に戻って説明する。
帯電バイアス電圧を印加された帯電ローラ１３６は、所定の電位が与えられ、感光体ドラム１３２に当接して感光体ドラム１３２の表面を均一に帯電させる。
ＬＥＤヘッド１０３は、画像データに応じて発光し、帯電した感光体ドラム１３２の表面に静電潜像を形成する。
【００５６】
現像バイアス電圧を印加された現像ローラ１３４は、所定の電位が与えられ、感光体ドラム１３２の表面に形成された静電潜像との間に発生する電位差により静電潜像をトナー像に現像する。
転写バイアス電圧を印加された転写ローラ１０５は、所定の電位が与えられ、感光体ドラム１３２との間に発生する電位差により、感光体ドラム１３２の表面に現像されたトナー像を用紙１１５に転写する。
定着器１１８は、転写されたトナー像を熱と圧力によって用紙１１５に定着させる。
【００５７】
以上説明したように、第１の実施例では、ＰＷＭ信号生成回路から出力するＰＷＭ信号のデューティを変化させて出力電圧指示信号の電圧を制御するとともに、そのＰＷＭ信号の周波数で圧電トランス駆動回路を駆動させるようにしたことにより、１つのＰＷＭ信号で高圧発生回路を駆動させるため、圧電トランスを駆動させるパルス生成回路を設けることなく高圧発生回路の駆動可能とし、部品点数を削減すると共に、コストを抑えることができるという効果が得られる。
【実施例２】
【００５８】
第１の実施例においては圧電トランスに入力する電圧を変圧させて定電圧制御を行っていたが、本実施例においては圧電トランスに入力する信号の周波数を可変させて定電圧制御を行う。
図８は、第２の実施例における画像形成装置の構成を示すブロック図である。
図８に示したブロック図は、図３に示した第１の実施例における画像形成装置の構成を示すブロック図と比較すると、プリンタエンジン制御部１２５３と、高圧電源基板１２８０（帯電バイアス電圧発生部１２６１、現像バイアス電圧発生部１２６２、および転写バイアス電圧発生部１２６３）以外は同様であるため、上述した第１の実施例と同様の部分は、同一の符号を付してその説明を省略する。
【００５９】
また、帯電バイアス電圧発生部１２６１、現像バイアス電圧発生部１２６２、および転写バイアス電圧発生部１２６３はそれぞれ同様の構成であるため、例として転写バイアス電圧発生部１２６３の構成について図９に基づきながら説明する。
図９は、第２の実施例における転写バイアス電圧発生部の構成を示すブロック図である。
転写バイアス電圧発生部１２６３は、ＤＣ−ＤＣコンバータ３０９と、比較回路１３１４と、４分周器１３２０Ｍおよび１３２０Ｋ以外は第１の実施例の転写バイアス電圧発生部２６３と同様の構成であるため、上述した第１の実施例と同様の部分は、同一の符号を付してその説明を省略する。
【００６０】
また、比較回路１３１４は、プリンタエンジン制御部１２５３に出力するため、プリンタエンジン制御部１２５３には比較信号入力端子１３５０が追加されている。
第１の実施例におけるＤＣ−ＤＣコンバータ３０９は、第２の実施例の高圧発生回路１３１６においては設けられていない。よって、２４ＶＤＣ電源３０８は、直接圧電トランス駆動回路３１０に接続される。
【００６１】
比較回路１３１４は、第１の実施例における帰還制御回路３１４から置き換えられて構成されたものであり、出力電圧変更手段３１３から入力された帰還信号と平滑回路３２１から入力された出力電圧指示信号を比較してＨ（Ｈｉｇｈ）レベルまたはＬ（Ｌｏｗ）レベルの比較信号を生成し、その比較信号をプリンタエンジン制御部１２５３の比較信号入力端子１３５０に入力する。
プリンタエンジン制御部１２５３は、比較信号入力端子１３５０に入力された比較信号に基づいてＰＷＭ信号生成回路５１０Ｍおよび５１０Ｋが生成するＰＷＭ信号の周波数を可変させる。
【００６２】
このような構成とすることで、第１の実施例においてはＤＣ−ＤＣコンバータ３０９に入力する比較信号に応じて圧電トランス入力周波数信号の電圧を変動させ、高圧電源出力電圧を定電圧制御していたが、第２の実施例においてはプリンタエンジン制御部１２５３に入力する比較信号に応じて圧電トランス入力周波数信号の周波数を変動させ、高圧電源出力電圧を定電圧制御する。
【００６３】
４分周器１３２０Ｍおよび１３２０Ｋは、第１の実施例における２分周器３２０から置き換えられて構成されたものであり、入力されたＰＷＭ信号を４分周して５０％デューティのパルス信号に変換し、圧電トランス駆動回路３１０へ出力する。
なお、４分周器１３２０Ｍおよび１３２０Ｋと接続されているＰＷＭ信号生成回路５１０Ｍおよび５１０Ｋは、後述する駆動開始周波数の４倍の周波数としたＰＷＭ信号を出力する。
【００６４】
また、ＰＷＭ信号生成回路５１０Ｃおよび５１０Ｙは駆動開始周波数の２倍の周波数としたＰＷＭ信号を出力し、ＰＷＭ信号生成回路５１０Ｍおよび５１０Ｋは駆動開始周波数の４倍の周波数としたＰＷＭ信号を出力する。
このように、ＰＷＭ信号生成回路５１０の配置毎で交互にＰＷＭ信号の周波数を２倍または４倍とすることにより、同じような周波数を発生するＰＷＭ信号生成回路５１０が隣接しないため、ＰＷＭ信号生成回路の相互干渉を防止することができる。
【００６５】
なお、本実施例においては、各ＰＷＭ信号生成回路５１０の配置を、生成するＰＷＭ信号の周波数が駆動開始周波数の２倍、４倍、２倍、４倍と交互になるようにし、ＰＷＭ信号を入力される分周器も合わせて２分周器、４分周器、２分周器、４分周器としたが、それに限られることなく、例えば、ＰＷＭ信号生成回路５１０の配置を、生成するＰＷＭ信号の周波数が駆動開始周波数の２倍、４倍、８倍、１６倍と交互になるようにし、ＰＷＭ信号を入力される分周器も合わせて２分周器、４分周器、８分周器、１６分周器とするように、すべて異なる倍数としてもよい。
【００６６】
図１０は、第２の実施例における転写バイアス電圧発生部の構成を示す回路図であり、高圧発生回路１３１６Ｃまたは１３１６Ｙの構成を示す。
高圧発生回路１３１６Ｃまたは１３１６Ｙは、ＤＣ−ＤＣコンバータ３０９と、比較回路１３１４以外は第１の実施例の高圧発生回路３１６と同様の構成であるため、上述した第１の実施例と同様の部分は、同一の符号を付してその説明を省略する。
第１の実施例におけるＤＣ−ＤＣコンバータ３０９は、第２の実施例の高圧発生回路１３１６においては設けられていない。よって、２４ＶＤＣ電源３０８は、圧電トランス駆動回路３１０のオートトランス４２４の１次側に接続される。
【００６７】
また、第１の実施例においては帰還制御回路３１４のオペアンプ４０８に出力電圧指示信号および帰還信号が入力されていたが、第２の実施例においては帰還制御回路３１４に替えて設けた比較回路１３１４のコンパレータ１４０８に出力電圧指示信号および帰還信号が入力される。
コンパレータ１４０８は、非反転入力端子に入力される帰還信号の電圧を反転入力端子に入力される出力電圧指示信号の電圧と比較して、ＨレベルまたはＬレベルの比較信号を生成し、その比較信号をプリンタエンジン制御部１２５３の比較信号入力端子１３５０に入力する。
【００６８】
図１１は、第２の実施例における転写バイアス電圧発生部の構成を示す回路図であり、高圧発生回路１３１６Ｍまたは１３１６Ｋの構成を示す。
図１１に示したブロック図は、図１０に示したブロック図と比較すると、４分周器１３２０以外は同様であるため、上述した図１０に示したブロック図と同様の部分は、同一の符号を付してその説明を省略する。
４分周器１３２０は、フリップフロップ２３２０および２３２１を直列に接続して構成されており、入力されるＰＷＭ信号を４分周し、圧電トランス駆動回路３１０に出力する。
【００６９】
図１２は、第２の実施例におけるプリンタエンジン制御部、２分周器および４分周器の出力波形を示す説明図である。
図１２（ａ）はＰＷＭ信号生成回路５１０が出力するＰＷＭ信号が駆動周波数の２倍の場合、図１２（ｂ）はＰＷＭ信号が駆動周波数の４倍の場合を示している。なお、どちらの図のＰＷＭ信号も２５％デューティとしている。
図１２（ａ）に示す２分周器出力と、図１２（ｂ）に示す４分周器出力を比較すると、位相がずれているが、位相に関しては分周器の構成により決定されるものであり、位相は等しくてもずれていてもよい。
【００７０】
図１３は、第２の実施例における圧電トランスの出力特性を示す説明図である。
図１３に示すように、本実施例における基準周波数は、駆動周波数よりも高い周波数であって、出力特性が低い領域に設定する。
この基準周波数に対して、基準周波数補正値Ｄ１〜Ｄ４に基づいてそれぞれ補正した周波数を駆動開始周波数とする。
プリンタエンジン制御部１２５３は、高い周波数からコンパレータ１４０８の出力がＬレベルになるまで低い周波数に可変させる。
【００７１】
このような周波数を可変させて高圧電源出力電圧を定電圧制御する方法、あるいは供給電圧を変圧させて高圧電源出力電圧を定電圧制御する方法はどちらも公知であるため、詳細な説明は省略する。
また、本実施例のように周波数可変で制御した場合、図１３に示すように圧電トランスの出力特性がバラツキを有しているにもかかわらず、高圧電源出力電圧の立ち上げるタイミングが同時でないときなどでは、駆動周波数が近接するときがある。このようなときに各ＰＷＭ信号生成回路の周波数を上述のように異なるようにすることで、ＰＷＭ信号生成回路の相互干渉を防止することができる。
【００７２】
上述した構成の作用について説明する。
まず、印刷データの受信から用紙１１５を転写ベルト１０８に搬送するまでの動作については第１の実施例と同様であるため、その説明を省略する。
次に、印刷データの受信から用紙１１５を転写ベルト１０８に搬送するまでの動作を、図９および図１３に基づいて説明する。
プリンタエンジン制御部１２５３は、あらかじめ記憶させた圧電トランス入力周波数の補正値を不揮発性メモリ３０４から読み出す。
【００７３】
プリンタエンジン制御部１２５３は、基準周波数補正値Ｄ１〜Ｄ４に基づいて補正した基準周波数の２倍または４倍をＰＷＭ信号の周波数として設定する。
その後、所定のタイミングで、プリンタエンジン制御部１２５３はＰＷＭ信号生成回路５１０からＰＷＭ信号を出力する。
プリンタエンジン制御部２５３は、ＰＷＭ信号をＰＷＭ信号生成回路５１０から２分周器３２０または４分周器１３２０および平滑回路３２１に出力する。
【００７４】
次に、高圧電源出力電圧の定電圧制御の動作について、図９に基づいて説明する。
なお、第１の実施例と同様の動作は、その説明を省略する。
比較回路１３１４は、出力電圧変更手段３１３から入力された帰還信号の電圧と平滑回路３２１から入力された出力電圧指示信号の電圧を比較して、ＨレベルまたはＬレベルの比較信号を生成し、その比較信号をプリンタエンジン制御部１２５３の比較信号入力端子１３５０に入力する。
【００７５】
プリンタエンジン制御部１２５３は、比較信号入力端子１３５０に入力された比較信号にしたがって、高圧電源出力電圧が目標電圧より低いときはＰＷＭ信号の周波数を低くし、高圧電源出力電圧が目標電圧より高いときはＰＷＭ信号の周波数を高くすることで高圧電源出力電圧を定電圧制御する。
例えば、転写ローラなどの周方向の抵抗ムラなどにより画像形成装置では常に出力負荷３１５が変動するため、プリンタエンジン制御部１２５３は、比較信号のＨレベルまたはＬレベルに応じて周波数を制御し続けることにより定電圧制御を行う。
【００７６】
次に、プリンタエンジン制御部１２５３と、高圧発生回路１３１６Ｃまたは１３１６Ｙが行う高圧電源出力電圧の定電圧制御の動作について、図１０に基づいて説明する。
プリンタエンジン制御部１２５３は、ＰＷＭ信号のデューティを高圧電源出力電圧が目標電圧とするとともに、ＰＷＭ信号の周波数を駆動開始周波数とするように平滑回路３２１および２分周器３２０に入力する。
【００７７】
平滑回路３２１は、入力されたＰＷＭ信号を平滑化し、コンパレータ１４０８の非反転入力端子に出力電圧指示信号を出力する。
この時点で、コンパレータ１４０８の反転入力端子には、ほぼ０［Ｖ］が入力されているため、コンパレータ１４０８は、Ｈレベルの比較信号を生成し、比較信号入力端子１３５０に出力される。
プリンタエンジン制御部１２５３は、コンパレータ１４０８の比較信号がＬレベルの比較信号に変化するまでＰＷＭ信号の周波数を低いほうへ可変させる。
【００７８】
高圧電源出力電圧が目標電圧に到達すると、ＨレベルまたはＬレベルの比較信号が交互に変化するため、その都度周波数を調整することにより定電圧制御が行われる。
また、プリンタエンジン制御部１２５３と、高圧発生回路１３１６Ｍまたは１３１６Ｋが行う高圧電源出力電圧の定電圧制御の動作については、上述したプリンタエンジン制御部１２５３と、高圧発生回路１３１６Ｃまたは１３１６Ｙが行う高圧電源出力電圧の定電圧制御の動作と、ＰＷＭ信号の周波数を駆動開始周波数の４倍とする以外は同様であるため、その説明を省略する。
【００７９】
以上説明したように、第２の実施例では、比較回路が出力した比較信号に基づいてＰＷＭ信号生成回路が生成するＰＷＭ信号の周波数を可変させることにより、圧電トランス入力周波数信号の周波数を変動させ、高圧電源出力電圧を定電圧制御することができるという効果が得られる。
なお、第１の実施例および第２の実施例では、高圧電源装置を備えた画像形成装置としてカラープリンタを例として説明したが、それに限られることなく、モノクロプリンタに適用することも可能である。
【符号の説明】
【００８０】
１０１    画像形成装置
１０５    転写ローラ
１１５    用紙
１３４    現像ローラ
１３６    帯電ローラ
２５３、１２５３    プリンタエンジン制御部
２６１、１２６１    帯電バイアス電圧発生部
２６２、１２６２    現像バイアス電圧発生部
２６３、１２６３    転写バイアス電圧発生部
２８０、１２８０    高圧電源基板
３０２    シリアル通信端子
３０９    ＤＣ‐ＤＣコンバータ
３１０、１３１０    圧電トランス駆動回路
３１１    圧電トランス
３１２    整流回路
３１３    出力電圧変換手段
３１４    帰還制御回路
３１５    出力負荷
３１６，１３１６    高圧発生回路
３２０    ２分周器
３２１    平滑回路
５１０    ＰＷＭ信号生成回路
１３１４  比較回路
１３２０  ４分周器
１４８０  コンパレータ
１３５０  比較信号入力端子
【図１】
2015070657.tif 000003
【図２】
2015070657.tif 000004
【図３】
2015070657.tif 000005
【図４】
2015070657.tif 000006
【図５】
2015070657.tif 000007
【図６】
2015070657.tif 000008
【図７】
2015070657.tif 000009
【図８】
2015070657.tif 000010
【図９】
2015070657.tif 000011
【図１０】
2015070657.tif 000012
【図１１】
2015070657.tif 000013
【図１２】
2015070657.tif 000014
【図１３】
2015070657.tif 000015